【手続補正書】
【提出日】平成28年3月8日(2016.3.8)
【手続補正１】
【補正対象書類名】特許請求の範囲
【補正対象項目名】請求項１０
【補正方法】変更
【補正の内容】
【請求項１０】
請求項７に記載の情報表示方法であって、
目的地を特定する工程と、
特定された目的地までの推奨経路を特定する工程と、
特定された推奨経路に基づいて、現在地が案内の必要な地点か否かを判定する工程と、
前記現在地が案内の必要な地点である場合に、前記特定された推奨経路に基づく案内画面情報を表示する工程と、を含み、
前記第２の画面情報は、前記案内画面情報である
ことを特徴とする情報表示方法。
【手続補正２】
【補正対象書類名】明細書
【補正対象項目名】００４３
【補正方法】変更
【補正の内容】
【００４３】
画面情報７００は、ナビゲーション装置１００のディスプレイ１７に表示される情報である。図７は、画面情報７００の一例を示した図である。また、画面情報７００には、画面情報７００を識別するための識別情報７０１が付加されている。識別情報７０１は、画面ＩＤ７０２と、画面名７０３と、画面カテゴリ７０４と、を有している。画面ＩＤ７０２は、画面情報７００を識別するための情報である。画面名７０３は、画面情報を特定する名称（例えば、メニューＡ１など）情報である。画面カテゴリ７０４は、画面情報が属するカテゴリを特定する情報である。画面カテゴリ７０４は、例えば、「メニュー画面」、「地図画面」、「オーディオ画面」、「通話画面」、「交差点拡大画面」などがある。なお、画面カテゴリ７０４には、メール受信通知規制情報６００の各ステータスに定義可能な文字情報と共通の文字情報が登録される。
【手続補正３】
【補正対象書類名】明細書
【補正対象項目名】００４４
【補正方法】変更
【補正の内容】
【００４４】
このように、各画面情報７００をその種類や機能などに応じて分類しておくことにより、全ての画面情報について、ポップアップダイアログの表示が許可される画面情報なのか、または、待機される画面情報なのかを定義する作業が省略でき、開発効率の向上が期待できる。なお、ディスプレイ１７には、複数のウィンドウにより複数の画面情報が表示可能であり、例えば、地図画面のカテゴリに属する画面情報と、交差点拡大画面に属する画面情報とを左右に並べて同時に表示することが可能になっている。
【手続補正４】
【補正対象書類名】明細書
【補正対象項目名】００７２
【補正方法】変更
【補正の内容】
【００７２】
ステータス判定では、通知規制判定部５８は、記憶部５３に記憶されているメール受信通知規制情報６００とステータス情報８００とを比較し、ナビゲーション装置１００の状況を判定する（ステップＳ００３、ステップＳ００４）。具体的には、通知規制判定部５８は、ステータス情報８００の「ナビゲーション装置の通話状態」８０１と、メール受信通知規制情報６００の「ナビゲーション装置の通話状態」６０１と、を比較する。そして、ステータス情報８００の「ナビゲーション装置の通話状態」８０１に対応付けられている状況が、メール受信通知規制情報６００の待機６０４に登録されている通話状態（ポップアップダイアログの表示の待機が定義付けられている通話状態）に該当する場合、（ステップＳ００３でＹｅｓ）、通知規制判定部５８は、引き続きそのままの画面情報をディスプレイ１７に表示し（ステップＳ００４）、ステップＳ００３の処理を繰り返し実行する。
【手続補正５】
【補正対象書類名】明細書
【補正対象項目名】００７４
【補正方法】変更
【補正の内容】
【００７４】
ステップＳ００５では、通知規制判定部５８は、ステータス情報８００の「ナビゲーション装置の画面カテゴリ」８０２と、メール受信通知規制情報６００の「ナビゲーション装置の画面カテゴリ」６０２と、を比較する。そして、ステータス情報８００の「ナビゲーション装置の画面カテゴリ」８０２に対応付けられている状況が、メール受信通知規制情報６００の待機６０４に登録されている画面カテゴリ（ポップアップダイアログの表示の待機が定義付けられている画面カテゴリ）を含む場合、（ステップＳ００５でＹｅｓ）、通知規制判定部５８は、引き続きそのままの画面情報をディスプレイ１７に表示し（ステップＳ００６）、処理をステップＳ００３に戻す。
【手続補正６】
【補正対象書類名】明細書
【補正対象項目名】００７５
【補正方法】変更
【補正の内容】
【００７５】
一方で、ステータス情報８００の「ナビゲーション装置の画面カテゴリ」８０２に対応付けられている状況が、メール受信通知規制情報６００の待機６０４に登録されている画面カテゴリのいずれも含まない場合（ステップＳ００５でＮｏ）、通知規制判定部５８は、処理をステップＳ００７に移行する。
【手続補正７】
【補正対象書類名】明細書
【補正対象項目名】００９８
【補正方法】変更
【補正の内容】
【００９８】
すなわち、表示中の両画面情報は、いずれもポップアップダイアログの表示の待機が定義付けられた画面カテゴリに属するものであるため、かかるダイアログの表示を行う処理に移行しない（ステップＳ００３、ステップＳ００５およびステップＳ００６を繰り返し実行）。言い換えれば、通知規制判定部５８は、ポップアップダイアログの表示を待機する。
【手続補正８】
【補正対象書類名】明細書
【補正対象項目名】０１００
【補正方法】変更
【補正の内容】
【０１００】
具体的には、［交差点拡大画面の表示中］９２１では、かかる交差点を通過し所定距離（例えば、５ｍ）走行すると、交差点拡大画面の表示前に表示されていた地図画面がディスプレイ１７に表示される。このとき、ステータス情報８００の「ナビゲーション装置の画面カテゴリ」８０２を示すステータスは、「交差点拡大画面」から「地図画面」に変更される。このように、交差点を通過すると、「ナビゲーション装置の通話状態」８０１（「待ち受け中」）および「ナビゲーション装置の画面カテゴリ」８０２がメール受信通知規制情報６００において、ポップアップダイアログの表示が許可されたものになるため（ステップＳ００３でＮｏ、ステップＳ００５でＮｏ）、表示制御部５２は、電子メールの受信を通知するポップアップダイアログ９３１をかかる画面情報の上に重畳表示するよう制御する（ステップＳ００７）。
【手続補正９】
【補正対象書類名】明細書
【補正対象項目名】０１０１
【補正方法】変更
【補正の内容】
【０１０１】
また、［カメラ映像画面の表示中］９２２の場合、例えば、車両のギアポジションがリア（Ｒ）からドライブ（Ｄ）など他のギアポジションになると、カメラ映像画面の表示前に表示されていた地図画面がディスプレイ１７に表示される。このとき、ステータス情報８００の「ナビゲーション装置の画面カテゴリ」８０２は、「カメラ映像画面」から「地図画面」に変更される。このように、ギアポジションが切り替わると、「ナビゲーション装置の通話状態」８０１（「待ち受け中」）および「ナビゲーション装置の画面カテゴリ」８０２のいずれも、メール受信通知規制情報６００において、ポップアップダイアログの表示が許可されるものとなるため（ステップＳ００３でＮｏ、ステップＳ００５でＮｏ）、表示制御部５２は、電子メールの受信を通知するポップアップダイアログ９３２をかかる画面情報の上に重畳表示するよう制御する（ステップＳ００７）。
【手続補正１０】
【補正対象書類名】図面
【補正対象項目名】図３
【補正方法】変更
【補正の内容】
【図３】
2014202517.tif 000001
【手続補正１１】
【補正対象書類名】図面
【補正対象項目名】図７
【補正方法】変更
【補正の内容】
【図７】
2014202517.tif 000002